(57)【要約】【課題】大きな貯水量の雨水貯留浸透システムを構築する場合においても、掘削幅を小さくできる浸透材およびこの浸透材を用いた雨水貯留浸透システムを提供することを目的としている。【解決手段】土中に埋設され、雨水の貯水空間を有し、貯水空間に貯水された雨水が土中に浸透可能な壁面を備え、（浸透材の高さ／浸透材の幅）が３以上の断面略矩形をしている浸透材が、道路の側溝に沿って土中に埋設されるとともに、地上に降った雨水を浸透材の貯水空間に供給する雨水供給路を備えている構成とした。【選択図】      図１
2009074286.tif 000002
【特許請求の範囲】
【請求項１】
土中に埋設され、雨水の貯水空間を有し、貯水空間に貯水された雨水が土中に浸透可能な壁面を備える浸透材であって、
（浸透材の高さ／浸透材の幅）が３以上の断面略矩形をしていることを特徴とする浸透材。
【請求項２】
幅が１００ｍｍ〜４００ｍｍである請求項１に記載の浸透材。
【請求項３】
底面部と、この底面部から立ち上がる２つの側面部を備え、側面部と側面部との間に貯水空間が形成されるとともに、底面部および２つの側面部の少なくともいずれかに通水孔が多数穿設された樹脂製の埋設基材と、この埋設基材の少なくとも通水孔部分を内或いは外側から覆う透水性シート材とを備える請求項１または請求項２に記載の浸透材。
【請求項４】
底面部が非透水構造に形成されている請求項１〜請求項３のいずれかに記載の浸透材。
【請求項５】
底面部の内底面が長手方向に連続する半円形の溝状に形成されている請求項１〜請求項４のいずれかに記載の浸透材。
【請求項６】
一方の側面部のみに通水孔が穿設されている請求項１〜請求項５のいずれかに記載の浸透材。
【請求項７】
地上から貯水空間を臨む通気管を備えるとともに、一方の側面部から他方の側面部に向かって延出するように設けられ、この通気管から貯水空間内に挿入される洗浄ホースを通気管直下から貯水空間の長手方向端部に向かってガイドする複数のガイド板が、隣接するガイド板との間に洗浄ホースから吐出される洗浄水の通水用隙間を形成した状態で貯水空間内に並設されている請求項１〜請求項６のいずれかに記載の浸透材。
【請求項８】
地上から貯水空間を臨む通気管を備え、通気管の管径が５０ｍｍ〜７５ｍｍである請求項１〜請求項７のいずれかに記載の浸透材。
【請求項９】
請求項１〜請求項８のいずれかに記載の浸透材が、道路の側溝に沿って土中に埋設されるとともに、地上側から雨水を浸透材の貯水空間に供給する雨水供給路を備えていることを特徴とする雨水貯留浸透システム。
【請求項１０】
浸透材の底面部および道路側の面が非透水性になっている請求項９に記載の雨水浸透システム。
【発明の詳細な説明】
【技術分野】
【０００１】
本発明は、浸透材およびこの浸透材を用いた雨水貯留浸透システムに関する。
【背景技術】
【０００２】
舗装化が進み、都市部においては、図１１に示すように、道路１００に降った雨水２００は、道路に沿って設けられた集水枡４００或いは側溝３００に流れ込み、集水枡４００から地下排水管等の排水経路５００を経て、下水道或いは河川に流れ込むことが多い。
しかし、このように、雨水が直接河川に流れ込むと、地下水脈への水の流入がほとんどなくなり、地下水の枯渇を招く恐れがある。
また、地球の温暖化の影響か、昨今は一度に多量の降雨があり、急激な雨水の流入により、道路の側溝や排水経路から雨水が溢れ出て家屋に浸水する事故が頻発しているとともに、地下室への浸水により死亡事故を招いた事例もある。
【０００３】
そこで、舗装化が進んだ都市部においても、道路に降った雨水をうまく地中に浸透させて地下水の枯渇を防止するために、浸透枡や浸透トレンチ等の雨水貯留浸透施設（特許文献１，２参照）を雨水の排水経路内に設ける雨水貯留浸透システムが提案されている。
すなわち、浸透枡は、枡の側面や底面に浸透孔を設け、枡内に流入した雨水の一部を浸透孔から地中に雨水を浸透させるようになっている。しかし、浸透枡の場合、大きなものでないと、雨水を十分に貯水できないため、狭い敷地などへの設置が難しい。
一方、浸透トレンチは、掘削した溝に砕石を充填し、さらにこの中に浸透枡あるいは通常の貯水枡と連結された有孔管（透水管）を設置することにより浸透枡からだけでなく、浸透枡から有孔管に流れ込んだ雨水を有孔管壁面に設けられた孔あるいは砕石の周囲に巻かれた透水シートを介して地中に浸透させるようになっているので、大雨などの場合、この有孔管に一旦貯水状態におかれるため、浸透枡などを大きくする必要がない。しかし、貯水量を増やそうとすると、やはり、有孔管の管径と砕石充填部を大きくしなくてはならず、施工時の地面の掘削幅が大きくなり、狭い敷地などには施工しにくいという問題がある。
【０００４】
【特許文献１】特開平８−５３８７３号公報
【特許文献２】特公平５−６８５７９号公報
【発明の開示】
【発明が解決しようとする課題】
【０００５】
本発明は、上記事情に鑑みて、大きな貯水量の雨水貯留浸透システムを構築する場合においても、掘削幅を小さくできる浸透材およびこの浸透材を用いた雨水貯留浸透システムを提供することを目的としている。
【課題を解決するための手段】
【０００６】
上記目的を達成するために、本発明の請求項１に記載の浸透材（以下、「請求項１の浸透材」と記す）は、土中に埋設され、雨水の貯水空間を有し、貯水空間に貯水された雨水が土中に浸透可能な壁面を備える浸透材であって、（浸透材の高さ／浸透材の幅）が１３以上の断面略矩形をしていることを特徴としている。
【０００７】
本発明の請求項２に記載の浸透材（以下、「請求項２の浸透材」と記す）は、請求項１の浸透材において、幅が１００ｍｍ〜４００ｍｍであることを特徴としている。
【０００８】
本発明の請求項３に記載の浸透材（以下、「請求項３の浸透材」と記す）は、請求項１または請求項２の浸透材において、底面部と、この底面部から立ち上がる２つの側面部を備え、側面部と側面部との間に貯水空間が形成されるとともに、底面部および２つの側面部の少なくともいずれかに通水孔が多数穿設された樹脂製の埋設基材と、この埋設基材の少なくとも通水孔部分を内或いは外側から覆う透水性シート材とを備えることを特徴としている。
【０００９】
本発明の請求項４に記載の浸透材（以下、「請求項４の浸透材」と記す）は、請求項１〜請求項３のいずれかの浸透材において、底面部が非透水構造に形成されていることを特徴としている。
【００１０】
本発明の請求項５に記載の浸透材（以下、「請求項５の浸透材」と記す）は、請求項１〜請求項４のいずれかの浸透材において、底面部の内底面が長手方向に連続する半円形の溝状に形成されていることを特徴としている。
【００１１】
本発明の請求項６に記載の浸透材（以下、「請求項６の浸透材」と記す）は、請求項１〜請求項５のいずれかの浸透材において、一方の側面部のみに通水孔が穿設されていることを特徴としている。
【００１２】
本発明の請求項７に記載の浸透材（以下、「請求項７の浸透材」と記す）は、請求項１〜請求項６のいずれかの浸透材において、地上から貯水空間を臨む通気管を備えるとともに、この通気管から貯水空間内に挿入される洗浄ホースを通気管直下から貯水空間の長手方向端部に向かってガイドする複数のガイド板が、隣接するガイド板との間に洗浄ホースから吐出される洗浄水の通水用隙間を形成した状態で貯水空間内に並設されていることを特徴としている。
【００１３】
本発明の請求項８に記載の浸透材（以下、「請求項８の浸透材」と記す）は、請求項１〜請求項７のいずれかの浸透材において、地上から貯水空間を臨む通気管を備え、通気管の管径が５０ｍｍ〜７５ｍｍであることを特徴としている。
【００１４】
本発明の請求項９に記載の雨水貯留浸透システム（以下、「請求項９の雨水貯留浸透システム」と記す）は、請求項１〜請求項８のいずれかの浸透材が、道路の側溝に沿って土中に埋設されるとともに、地上側から雨水を浸透材の貯水空間に供給する雨水供給路を備えていることを特徴としている。
【００１５】
本発明の請求項１０に記載の雨水貯留浸透システム（以下、「請求項１０の雨水貯留浸透システム」と記す）は、請求項９の雨水貯留浸透システムにおいて、浸透材の底面部および道路側の面が非透水性になっていることを特徴としている。
【００１６】
本発明において、埋設基材を構成する樹脂としては、特に限定されないが、例えば、塩化ビニル樹脂、ポリエチレン樹脂、ポリプロピレン樹脂等が挙げられる。
また、本発明において、略矩形とは、端部が円弧状になったものも含まれる。
【発明の効果】
【００１７】
以上のように、本発明の請求項１の浸透材は、土中に埋設され、雨水の貯水空間を有し、貯水空間に貯水された雨水が土中に浸透可能な壁面を備える浸透材であって、（浸透材の高さ／浸透材の幅）が３以上の断面略矩形をしているので、有孔管に比べて、幅を狭くしても貯水能力が向上する。しかも、幅を狭くすれば、施工時の掘削幅が小さくなり、狭い敷地であっても設置できるとともに、小さな油圧ショベルを用いて施工することができるため、施工性もよくなる。また、（浸透材の高さ／浸透材の幅）が３未満であると、底面部の比率が大きくなりすぎて、底面部からの土中への浸透によって地盤が緩み不陸が発生しやすくなるが、上記のように（浸透材の高さ／浸透材の幅）を３以上にすることで底面浸透をなくしても、浸透材の側面のみからの浸透によって十分な土中への雨水の浸透を確保できる。したがって、地盤の緩みによる不陸が発生しにくくなる。しかも、水頭を高く確保できることから浸透量が増大する。
【００１８】
本発明の請求項２の浸透材は、幅が１００ｍｍ〜４００ｍｍであるので、施工時の掘削幅が小さくより施工性が向上する。
【００１９】
本発明の請求項３の浸透材は、底面部と、この底面部から立ち上がる２つの側面部を備え、側面部と側面部との間に貯水空間が形成されるとともに、底面部および２つの側面部の少なくともいずれかに通水孔が多数穿設された樹脂製の埋設基材と、この埋設基材の少なくとも通水孔部分を内或いは外側から覆う透水性シート材とを備えるので、軽量で施工性に富んでいる。
【００２０】
本発明の請求項４の浸透材は、底面部が非透水構造に形成されているので、底面からの浸透による底面部下方の土壌の浸食を防ぎ、浸食が原因となる不陸を防止することができる。
【００２１】
本発明の請求項５の浸透材は、底面部の内底面が長手方向に連続する半円形の溝状に形成されているので、貯水空間内の雨水とともに侵入し底部に貯まった沈殿物を洗浄水等で洗い流しやすく、メンテナンスが容易となる。
【００２２】
本発明の請求項６の浸透材は、一方の側面部のみに通水孔が穿設されているので、雨水の土中への浸透が一方の側面側のみから行われる。すなわち、たとえば、長期間使用していると、浸透材から土中に浸透した雨水によって地盤や路盤が浸食される恐れがある。
そこで、例えば、上記浸透材を、道路の側溝に沿って埋設するような場合、通水孔が設けられていない側の側面部が、道路側に向くように埋設するようにすれば、道路側の路盤の浸食は防止され、浸食により道路の陥没が生じ、重大事故を招くといった危険を回避することができる。
【００２３】
本発明の請求項７の浸透材は、地上から貯水空間を臨む通気管を備えるとともに、一方の側面部から他方の側面部に向かって延出するように設けられ、この通気管から貯水空間内に挿入される洗浄ホースを通気管直下から貯水空間の長手方向端部に向かってガイドする複数のガイド板が、隣接するガイド板との間に洗浄ホースから吐出される洗浄水の通水用隙間を形成した状態で貯水空間内に並設されているので、貯水空間内に貯まった砂礫などの沈殿物を容易に洗浄することができる。
すなわち、通気管から洗浄ホースを貯水空間に挿入すると、まず、洗浄ホースの先端が通気管直下のガイド板に受けられる。そして、さらに、洗浄ホースを貯水空間内に押し込むと、ガイド板によって貯水空間の長手方向端部方向にガイドされながら、洗浄ホース先端が貯水空間の長手方向端部に向かって進入する。このとき、ガイド板とガイド板との間には、通水用の隙間が設けられているので、洗浄ホース先端から吐出された洗浄水が隙間を通って、貯水空間の底部に流れ込む。したがって、貯水空間の長さ方向全長に渡って効率よく洗浄水を流すことができる。
【００２４】
本発明の請求項８の浸透材は、地上から貯水空間を臨む通気管を備え、通気管の管径が５０ｍｍ〜７５ｍｍであるので、雨水流入時に内部空気圧が一時的に高くなり、浸透を促進することができる。
【００２５】
本発明の請求項９の雨水貯留浸透システムは、上記本発明の浸透材が、道路の側溝に沿って土中に埋設されるとともに、地上側から雨水を浸透材の貯水空間に供給する雨水供給路を備えているので、道路に沿った狭い区画を用いて低コストで多量の雨水を土中に浸透させることができる。
【００２６】
本発明の請求項１０の雨水貯留浸透システムは、浸透材の底面部および道路側の面が非透水性になっているので、土中に浸透した雨水によって道路の下側の土壌が浸食されることがない。
【発明を実施するための最良の形態】
【００２７】
以下に、本発明を、その実施の形態をあらわす図面を参照しつつ詳しく説明する。
図１および図２は、本発明にかかる雨水貯留浸透システムの第１の実施の形態およびこの雨水貯留浸透システムに用いられる浸透材の第１の実施の形態をあらわしている。
【００２８】
図１および図２に示すように、この雨水貯留浸透システムＡは、雨水供給路１と、浸透材８とを備えている。
【００２９】
雨水供給路１は、第１管路２と、粗ろ過装置３と、第２管路４とから構成されている。
第１管路２は、道路Ｌに沿って設けられた側溝Ｐからの雨水が流れ込む既存の集水枡５を、仕切り壁５１によって仕切ることにより形成された貯水枡５ａ内をその全体が臨むように設けられているとともに、入口２１が、開口を下方に向けるように、貯水枡５ａの底から上端までの中間位置に臨んでいて、入口２１から一旦上方に立上ったのち、出口２２に向かって下降する略逆Ｕ字形をしている。
【００３０】
また、出口２２は、入口２１よりその高さ位置が低くなっているとともに、後述する粗ろ過装置３の流入部３１に接続されている。
【００３１】
粗ろ過装置３は、ドイツINTEWA社製商品名ハイドロジャンプフィルターであって、図３に示すように、流入部３１と、本体部３２と、ろ過水排出部３３と、オーバーフロー水排出部３４とを備え、流入部３１と本体部３２とが貯水枡内を臨むように設けられている。
流入部３１は、筒状になっていて、第１管路２の出口２２が接続されている。
【００３２】
本体部３２は、流入部３１が連結されるとともに、流入部３１より下方に窪む凹部３２ａを備えている。
凹部３２ａは、流入部３１側および後述するオーバーフロー水排出部３４側にそれぞれ傾斜面３２ｂ、３２ｃを備える断面略台形形状になっていて、流入部３１側の傾斜面３２ｂが網目材で形成された粗めフィルターとなっている。
【００３３】
ろ過水排出部３３は、傾斜面３２ｂを下方から臨むように本体部３２の下端から筒状に延出している。
ろ過水排出部３３の下端には、第２管路４の一端が接続されている。
【００３４】
オーバーフロー水排出部３４は、流入部３１と対向するように本体部３２に接続されていて、本体部３２側の端部に逆止弁３４ａを備えた筒状をしていて、仕切り壁５１を貫通して貯水枡５ａに隣接して設けられた排水枡５ｂに排出口２２が開口している。
【００３５】
すなわち、粗ろ過装置３は、図３（ａ）に示すように、流入部３１から流入する雨水６の量が少ない場合には、雨水６のほとんどが傾斜面３２ｂでろ過され、ろ過面である傾斜面３２ｂ上に夾雑物７が残り、夾雑物除去済みの雨水（以下、「ろ過水」と記す）６１が第２管路４に流れ込む。一方、雨水６の量が多い場合には、図３（ｂ）に示すように、流入部３１から流入する雨水の一部が傾斜面３２ｂでろ過され、ろ過水６１が第２管路４に流れ込み、残部がオーバーフロー水排出部３４側の傾斜面３２ｃを乗り越えて逆止弁３４ａを通り、オーバーフロー水排出部３４に入り、排水枡５ｂに排水される。また、オーバーフロー水排出部３４側に流れ込む雨水によって傾斜面３２ｂ上に貯まった夾雑物７が傾斜面３２ｂから洗い流され、雨水とともに、オーバーフロー水排出部３４を介して排水枡５ｂに入る。なお、オーバーフロー水排出部３４の入口には、逆止弁３４ａが設けられているので、一旦、オーバーフロー水排出部３４に入り込んだ雨水および夾雑物７は、本体部３２側に逆流することがない。
【００３６】
第２管路４は、立管部４１と、砂礫たまり部４２と、横管部４３とを備えている。
立管部４１は、その上端がろ過水排出部３３に接続されているとともに、下端で横管部４３が連結されているとともに、下端から鉛直下方に砂礫たまり部４２が突出するように設けられている。
【００３７】
また、立管部４１の横管部接続部より上側には、図示していないが、着脱可能な砂礫フィルターが内蔵されている。
砂礫たまり部４２は、下端に開閉自在な蓋４２ａを備え、蓋４２ａを開放することによって内部に貯まった砂礫を貯水枡５ａ内に排出できるようになっている。
【００３８】
横管部４３は、略Ｌ字形になっているとともに、下流側先端部が、貯水枡５ａの壁面を貫通して後述する浸透材８の下端部で貯水空間Ｓ内に臨んでいる。すなわち、第２管路４内に流入したろ過水６１が浸透材８へ供給されるようになっている。
また、横管部４３の折れ曲がり部には、下流側の側溝Ｐに平行になった部分と直線上に並ぶように、開閉自在な蓋４３ｂを備えた掃除口４３ａが設けられている。
【００３９】
上記浸透材８は、図４および図５に示すように、幅が１００ｍｍ〜４００ｍｍで内部に貯水空間Ｓを備え、周囲に透水シート８ｂが巻回された高さが幅の１倍以上（好ましくは５倍以上）あり、内部に貯水空間Ｓを有する埋設基材８ａと、この埋設基材８a
の周囲に巻回された透水性シート８ｂと、上部カバー８ｃと、通気管８ｄとからなり、側溝Ｐに沿って埋設されている。また、浸透材８の満水位置は、粗ろ過装置３のフィルター本体３２ｄより低い位置となっている。
【００４０】
なお、上記埋設基材８ａは、図６に示すように、ポリプロピレン樹脂、ポリエチレン樹脂等によって成形された２つの部材８１、８２を組み立てることによって形成されている。
すなわち、一方の部材８１は、底面部８１ａとこの底面部８１ａの一端から直角に立ち上がる側面部８１ｂと、側面部８１ｂから底面部８１ａに平行方向に延出する円錐台形をした多数の間隔保持用突起８１ｃとを備えている。側面部８１ｂには、突起８１ｃとずれた位置に通水孔８１ｄが穿設されている。
【００４１】
他方の部材８２は、上記側面部８１ｂとほぼ同じ大きさで、側面部８２ａと、この側面部８２ａの一方の面に円錐台形をした多数の間隔保持用突起８２ｂとを備えている。
そして、埋設基材８ａは、図５に示すように、部材８２の下端が、部材８１の底面部８１ａで下方から受けられるとともに、両部材８１、８２の間隔保持用突起８１ｃ、８２ｃがそれぞれ他方の両部材８２、８１の側面部８２ａ、８１ｂに当接するように組み立てて得られる。
なお、両部材８１，８２は、嵌め込み、接着剤や超音波融着等によって一体化されるようになっている。
透水性シート８ｂは、化学繊維や天然繊維を使用した織布または不織布で形成されていて、化学繊維製の不織布が好適に用いられる。
通気管８ｄは、浸透材８の長手方向の一端部で後述する上部カバー８ｃおよび透水性シート８ｂを貫通してその下端が貯水空間Ｓ内に臨むように設けられ、上端部が地上に配置されるようになっていて、その内径が５０ｍｍ〜７５ｍｍになっている。
上部カバー８ｃは、埋設基材８ａと同じ樹脂によって成形され、透水性シート８ｂの上側から埋設基材８ａの上部開口を覆うように取り付けられるようになっていて、通気管８ｄの挿通孔が穿設されている。なお、通気管８ｄは、上部カバー８ｃに溶接等によって一体化されていても構わない。
【００４２】
そして、上記雨水供給路１および浸透材８は、以下のように施工される。
すなわち、まず、まず、側溝Ｐに沿った或いは直下の地面９を小型の油圧ショベル（たとえば、商品名ミニユンボ）等を用いて掘削し、埋設基材８ａの幅よりやや広く、埋設基材８ａの高さより深い基材埋設用の細い溝（図７では破線で示す）９１を形成したのち、溝９１の底にフィルター砂９２を５０ｍｍ程度の厚さに敷詰めてその上面をほぼ水平にするとともに、貯水枡５ａと排水枡５ｂとを形成するように、集水枡５を仕切り壁５１で仕切る。
【００４３】
つぎに、上記の雨水供給路１を塩化ビニル樹脂、ポリエチレン樹脂、ポリプロピレン樹脂等で形成された、パイプ、エルボ、ソケットおよび粗ろ過装置３を用いて配管施工するとともに、図７に示すように、浸透材８を埋設基材８ａの通水孔８１ｄが穿設されていない側面部８２ａが道路Ｌ側にくるように溝９１内にセットし、第２管路４の下流側先端部を埋設基材８ａの長さ方向の一端面から埋設基材８ａの貯水空間Ｓの下端部に挿入した状態にする。
続いて、側面部８１ｂ、８２ａと溝９１との隙間にフィルター砂９２を浸透材８の上部カバー８ｃの上端面とほぼ同じレベルまで充填したのち、上部カバー８ｃおよびフィルター砂９２の上部に通気管８ｄの上端部が地上に露出するように土を埋め戻す。このとき、底面部８１ａの下部のみをフィルター砂９２で埋め戻し、側面部および上部は掘削残土で埋め戻してもよい。
【００４４】
この雨水貯留浸透システムＡは、以上のように、浸透材８の幅が１００ｍｍ〜４００ｍｍ程度であるので、道路Ｌの側溝Ｇに沿った狭い区画を小さい油圧ショベルを用いて掘削するだけで簡単かつ低コストで施工できる。
また、浸透材８の高さが幅の３倍以上（好ましくは５倍以上）であるとともに、道路と逆側の側面からのみ土中に雨水が浸透するようになっているので、雨水の浸透によって土壌が浸食されたとしても道路と反対側の側面に面する土壌のみであるので、不陸が発生したり、道路が陥没するといった事故が起こらない。
さらに、通気管８ｄを備え、通気管の内径が５０ｍｍ〜７５ｍｍであるので、雨水流入時に内部空気圧が一時的に高くなり、浸透促進することができる。
【００４５】
一方、上記雨水供給路１は、上記のように、粗ろ過装置３を備えているので、貯水枡５ａに雨水とともに流れ込む夾雑物７が浸透材８内に流れ込まない。また、粗ろ過装置３が、多量に流入部３１から流入する雨水によってろ過面に貯まった夾雑物７が排水枡５ｂ側に排出される自浄機能を備えているので、粗ろ過装置３のメンテナンスがほとんど不要である。
そして、第１管路２の出口２２が、入口２１よりその高さ位置が低くなっているので、第１管路２内に雨水が充満すると、サイホン現象によって貯水枡５ａ内の雨水が素早く粗ろ過装置３に送られ、第２管路４を介して浸透材８に供給される。また、雨が上がり、貯水枡５ａへの雨水の流入が止まっても、貯水枡５ａ内の雨水は、入口２１が水面より上側になるまで貯水枡５ａから粗ろ過装置３に排水される。
【００４６】
また、第１管路２の入口が水平または下方を向いて開口しているので、貯水枡に貯まった雨水の表面に油分の層があっても、ほとんど第１管路２内に流入することがない。したがって、砂礫フィルターや浸透材８が雨水とともに貯水枡５ａに流れ込んだ油分によってほとんど汚染されることがない。なお、貯水枡５ａ内に残った油分は、定期的に油吸着シート（マット）等で吸着除去してもよい。
【００４７】
さらに、第２管路４が立管部４１に砂礫フィルターが内蔵されているので、粗ろ過装置３でろ過できずに、雨水とともに第２管路４に流入した砂礫が浸透材８に流れ込むことを防止できる。また、立管部４１の下端から下方に突出するように、砂礫たまり部４２を備えているので、砂礫フィルターで取りきれなかった砂礫がこの砂礫たまり部４２にたまり、砂礫が浸透材８に流れ込むことを防止できる。また、砂礫たまり部４２の下端に開閉自在な蓋４２ａを備えているので、蓋４２ａを開放することによって内部に砂礫たまり部４２内に貯まった砂礫を貯水枡５ａ内に容易に排出できる。すなわち、メンテナンスが容易である。
【００４８】
また、第２管路４が掃除口４３ａを備えているので、万一、貯水空間Ｓ内に砂礫等が流れ込んでも、掃除口４３ａの蓋４３ｂを取り外し、掃除口４３ａから第２管路４を介してホース等を浸透材８の貯水空間Ｓまで挿入すれば、貯水空間Ｓの洗浄を行うことができる。
【００４９】
一方、上記浸透材８は、道路Ｌの側溝Ｐに沿って幅が１００ｍｍ〜４００ｍｍ程度の狭い幅の埋設基材８ａを埋設することによって形成されているので、施工が容易であるとともに、施工コストが低減できる。また、貯水空間Ｓに流入した雨水が道路Ｌと反対側の面から土中に浸透するようになっているので、道路Ｌ下の土壌が雨水の浸透によって浸食されることがない。
【００５０】
図８は、本発明にかかる本発明にかかる雨水貯留浸透システムの第２の実施の形態をあらわしている。
図８に示すように、この雨水貯留浸透システムＢは、浸透材８の長手方向の一端から雨水が浸透材８の貯水空間に流入させるとともに、浸透材８の長手方向の他端に沿ってゴミ回収枡Ｐを設け、浸透材８内がゴミや砂礫等で詰った場合、ゴミ回収枡Ｐの蓋を開けて、雨水供給路１から高圧洗浄水を浸透材８の貯水空間Ｓ内に流入させながら、真空ポンプ（図示せず）によって、ゴミ回収枡Ｐ側からゴミを吸い上げて浸透材８の詰りを解消できるようにした以外は、上記雨水貯留浸透システムＡと同様になっている。
【００５１】
図9は、本発明にかかる浸透材の埋設基材の第２の実施の形態をあらわしている。
図9に示すように、この埋設基材８ｅは、底面部８４の幅方向の両側に側面部８５，８６が樹脂ヒンジを介して一体成形されていて、底面部８４の内底面８４ａが半円形の凹溝形状になっている以外は、上記埋設基材８ａと同様になっている。図示していないが、側面部８５のみに通水孔が穿設されている。
【００５２】
すなわち、この埋設基材８ｅを用いた浸透材は、上記のように、底面部８４の幅方向の両側に側面部８５，８６が樹脂ヒンジを介して一体成形されているので、埋設基材８ｅの組み立てが容易である。また、底面部８４の内底面８４ａが半円形の凹溝形状になっているので、貯水空間内の雨水とともに侵入し底部に貯まった沈殿物を洗浄水等で洗い流しやすく、メンテナンスが容易となる。
【００５３】
図１０は、本発明にかかる浸透材の埋設基材の第３の実施の形態をあらわしている。
図１０に示すように、この浸透材８０の埋設基材８ｆは、一方の側面部から他方の側面部に向かって延出するように設けられ、両側面部の間隔を保持するとともに、通気管８ｄから貯水空間Ｓ内に挿入される洗浄ホースＨ１を通気管直下から貯水空間Ｓの長手方向端部に向かってガイドする複数のガイド板８６が、隣接するガイド板８６との間に洗浄ホースＨ１から吐出される洗浄水の通水用隙間８７を形成した状態で貯水空間Ｓ内に並設されている以外は、上記埋設基材８ａと同様になっている。
【００５４】
すなわち、この埋設基材８ｆを用いた浸透材８は、図１０に示すように、通気管８ｄから洗浄ホースＨ１を貯水空間Ｓに挿入すると、まず、洗浄ホースＨ１の先端が通気管直下のガイド板８６に受けられる。そして、さらに、洗浄ホースＨ１を貯水空間Ｓ内に押し込むと、ガイド板８６によって貯水空間Ｓの長手方向端部方向にガイドされながら、洗浄ホース先端が貯水空間Ｓの長手方向端部に向かって進入する。このとき、ガイド板８６とガイド板かとの間には、通水用隙間８７が設けられているので、洗浄ホース先端から吐出された洗浄水が隙間８７を通って、貯水空間Ｓの底部に流れ込む。また、洗浄ホースＨ１とともに、通気管８ｄから直下のガイド板８６をさけて真空ポンプ（図示せず）に接続された吸引ホースＨ２を貯水空間Ｓの底部まで挿入し、洗浄水を吸引ホースＨ２で汲みだすことができる。したがって、貯水空間Ｓの長さ方向全長に渡って効率よく洗浄水を流し、浸透材８の詰り等を容易に解消することができ、メンテナンスが容易となる。
【００５５】
本発明は、上記の実施の形態に限定されない。たとえば、上記の実施の形態では、浸透材が、道路の側溝に沿って埋設されていたが、一般家屋の敷地内に埋設するようにしても構わない。
【００５６】
上記の実施の形態では、既存の集水枡を仕切ることによって貯水枡と排水枡とを形成していたが、貯水枡を別途埋設するようにしても構わない。
上記の実施の形態では、第２管路に掃除口が設けられていたが、無くても構わない。
【００５７】
上記の実施の形態では、砂礫たまり部が立管部の下端に設けられていたが、横管部の途中に設けられていても構わない。
上記の実施の形態では、雨水供給路の第１管路および粗ろ過装置が、貯水枡内を臨むように設けられていたが、第１管路の入口が貯水枡内にあれば、雨水供給路の他の部分は、貯水枡外に設けられていても構わない。
【００５８】
上記の実施の形態では、埋設基材の一方の側面部にのみ通水孔が穿設されていたが、両方の側面部に通水孔を設け、両側面部からの雨水の土中への浸透に対応できるようにしても構わない。また、非透水性材料で形成されたシートをこの埋設基材の道路側の側面部に現場施工で貼り付けて通水孔を塞いだのちに、透水性シートを巻回するようにすれば、上記の実施の形態のごとく施工も可能である。
【図面の簡単な説明】
【００５９】
【図１】本発明にかかる雨水貯留浸透システムの第１の実施の形態をあらわす平面図である。
【図２】図１の雨水貯留浸透システムの雨水供給路部分をあらわす図である。
【図３】図２の雨水供給路の粗ろ過装置の断面図であって、同図（ａ）はその雨水が緩やかに流れ込んでいる状態をあらわし、同図（ｂ）は雨水が急激に流れ込んでいる状態をあらわしている。
【図４】図１の雨水貯留浸透システムの浸透材の一部切欠断面斜視図
【図５】図４の浸透材の縦断面図である。
【図６】図４の浸透材の埋設基材の分解状態の断面図である。
【図７】図４の浸透材の埋設状態を説明する断面図である。
【図８】本発明にかかる雨水貯留浸透システムの第２の実施の形態を説明する図である。
【図９】本発明にかかる浸透部材の埋設基材の第２の実施の形態を説明する図である。
【図１０】本発明にかかる浸透部材の埋設基材の第３の実施の形態を説明する図である。
【図１１】従来の道路に降った雨水の流れの１例を説明する図である。
【符号の説明】
【００６０】
Ａ，Ｂ  雨水貯留浸透システム
５ａ  貯水枡
８，８０  浸透材
８ａ，８ｅ，８ｆ    埋設基材
８ｂ  透水性シート   ８ｄ  通気管
８１  第１部材
８１ａ，８４  底面部
８１ｂ，８５，８６  側面部
８１ｄ  通水孔
８２  第２部材
８４ａ  内底面
８６  ガイド板
８７  通水用隙間
Ｈ１  洗浄ホース
Ｌ  道路
Ｇ  側溝
Ｓ  貯水空間
【図１】
2009074286.tif 000003
【図２】
2009074286.tif 000004
【図３】
2009074286.tif 000005
【図４】
2009074286.tif 000006
【図５】
2009074286.tif 000007
【図６】
2009074286.tif 000008
【図７】
2009074286.tif 000009
【図８】
2009074286.tif 000010
【図９】
2009074286.tif 000011
【図１０】
2009074286.tif 000012
【図１１】
2009074286.tif 000013